(57)【要約】【課題】  開口被覆部において、厚さが異なるモップであっても確実にモップを固定することができるモップ保持具を提供する。【解決手段】  モップに設けられた開口被覆部に差し込んでモップを支持する支持部と、前記支持部に連なる把持部とを備え、前記把持部は前記支持部上方に延出される庇部を備え、前記庇部と前記支持部間で前記モップ開口被覆部を挟持してモップを固定するようにしたモップ保持具であって、前記庇部に係止片を設け、前記支持部の前記庇部に対向する面において開口乃至凹部を設け、前記係止片の先端部を前記開口乃至凹部に弾性部材により付勢して没入させるようにしたことを特徴とする。【選択図】  図５
2005040470.tif 000002
【特許請求の範囲】
【請求項１】
モップに設けられた開口被覆部に差し込んでモップを支持する支持部と、前記支持部に連なる把持部とを備え、前記把持部は前記支持部上方に延出される庇部を備え、前記庇部と前記支持部間で前記モップ開口被覆部を挟持してモップを固定するようにしたモップ保持具であって、前記庇部に係止片を設け、前記支持部の前記庇部に対向する面において開口乃至凹部を設け、前記係止片の先端部を前記開口乃至凹部に弾性部材により付勢して没入させるようにしたことを特徴とするモップ保持具。
【請求項２】
前記係止片は、前記モップの開口被覆部の係止位置と解除位置との間で移動自在とされ、前記係止片に前記モップ開口被覆部の係止状態を解除するための解除ボタンを連結し、前記解除ボタンを前記把持部上面に摺動自在に露出させてなることを特徴とする請求項１に記載のモップ保持具。
【発明の詳細な説明】
【技術分野】
【０００１】
本発明は、上面に袋状あるいはトンネル状の開口被覆部を備えるモップを保持するためのモップ保持具に関する。
【背景技術】
【０００２】
従来のモップ保持具として、特許文献１に示されるように、モップに設けられた開口被覆部に差し込んでモップを支持する支持部と、前記支持部に連なる把持部とを備え、前記把持部は前記支持部上方に延出される庇部を備え、前記庇部と前記支持部間で前記モップ開口被覆部を挟持してモップを固定するようにしたものがある。
前記モップ保持具では、前記支持部にモップを差し込んだ状態で、係止片先端部に設けられた爪が弾性部材により付勢状態で、前記開口被覆部に対して噛み付き状態となるようにしてモップを保持するようにしていたために、前記爪の先端部が前記庇部と前記支持部の間に位置することになっていた。
しかしながら、このような従来のモップ保持具では、予め定められた厚みの開口被覆部を備えたモップに対してはしっかりとした保持が可能であるものの比較的薄手の開口被覆部を備えたモップを固定しようとした場合に、前記爪の先端部が前記庇部と前記支持部の間に位置するために確実に固定することができなかった。
【特許文献１】特開平１１−２２５９３３公報（図７）
【発明の開示】
【発明が解決しようとする課題】
【０００３】
そこで、開口被覆部において、厚さが異なるモップであっても確実にモップを固定することができるモップ保持具を提供することを目的とする。
【課題を解決するための手段】
【０００４】
上記課題を解決すべく、本発明のモップ保持具は、請求項１に記載の通り、モップに設けられた開口被覆部に差し込んでモップを支持する支持部と、前記支持部に連なる把持部とを備え、前記把持部は前記支持部上方に延出される庇部を備え、前記庇部と前記支持部間で前記モップ開口被覆部を挟持してモップを固定するようにしたモップ保持具であって、前記庇部に係止片を設け、前記支持部の前記庇部に対向する面において開口乃至凹部を設け、前記係止片の先端部を前記開口乃至凹部に弾性部材により付勢して没入させるようにしたことを特徴とする。
また、請求項２に記載のモップ保持具は、請求項１に記載のモップ保持具において、前記係止片は、前記モップの開口被覆部の係止位置と解除位置との間で移動自在とされ、前記係止片に前記モップ開口被覆部の係止状態を解除するための解除ボタンを連結し、前記解除ボタンを前記把持部上面に摺動自在に露出させてなることを特徴とする。
【発明の効果】
【０００５】
本発明のモップ保持具によれば、モップ被覆開口部の厚さが薄くても、モップをしっかりと固定することができる。また、更に、ワンタッチでモップを取り外すことができる。
【発明を実施するための最良の形態】
【０００６】
次に図面を参照して本発明の一実施の形態であるモップ保持具を説明する。
図１は、本発明のモップ保持具１にモップ２を装着した状態を示す側面図であり、モップ保持具１は、支持部３と、支持部に連なる把持部４とを備えている。
支持部３は、平板状に形成され、その上面には把持部４側に向かって緩やかな傾斜が設けられている。
把持部４は、側面から見ると前記支持部３の一端部からアーチ状に延出されており、支持部３との接合部から把持部４の中央部近傍までは、支持部３から離れる方向に傾斜するように形成され、中央部近傍から端部近傍までは、支持部３と略平行になるようにして形成されており、端部は上方に向かって若干跳ね上がるように形成されている。また、モップ装着時にモップ２の重みにより、手からモップ保持具１が滑り落ちないように、把持部４の中央部近傍の下面には、把持部４の長手方向に対して直交して延びる係止部５が設けられ指に引っかかるようになっている。
【０００７】
また、モップ２は、キャンパス地等よりなる長円形の基布２ａの下面に多数のパイル２ｂを植設してなり、基布２ａの上面には、後方に向かって開口するモップ開口被覆部６が設けられている。このモップ開口被覆部６に支持部３を後方から差し込み、モップ２を保持するようになっている。
【０００８】
図２は、モップ保持具１の平面図であり、平面から見ると支持部３の先端部はモップ開口被覆部６に差し込み易いように半円形状に形成されている。
把持部４は、その長手方向の支持部３側においてくびれるようにして形成されており、端部には、ひも等を通してフック等に引っかけるための穴７が設けられている。また、把持部４には、把持部４上面から支持部３上方に延出される庇部８が設けられており、庇部８近傍の上面には、把持部４の長手方向に沿って略菱形形状の穴１０が設けられている。また、この穴１０の表面には前後方向に延びる縦長の溝穴が設けられている。前記穴１０には、上方から見て略菱形状に形成された解除ボタン９がはめ込まれ、穴１０の表面に設けられた溝穴に沿って摺動自在となっている。
【０００９】
図３は、モップ保持具１の底面図であり、支持部３の把持部４側の端部には、支持部３の長手方向に沿って、矩形状の開口部１１が設けられている。
【００１０】
図４は、モップ保持具１のＡ−Ａ線における側断面図であり、把持部４の庇部８の下側には、係止片１２が配置されている。この係止片１２の上面は、庇部８の傾斜面に沿うようにして傾斜面が形成されている。尚、係止片１２は、前記解除ボタン９に下側からねじ止めされている。
【００１１】
図５は、図４の把持部４の庇部８近傍の拡大図であり、係止片１２の把持部４側の下部には、丸棒状のガイドロッド１３が、庇部８の傾斜面に沿って一体に形成されている。ガイドロッド１３には、コイルばね１４が嵌挿されており、コイルばね１４は、庇部８の根本の下方において設けられた突起部１５とガイドロッド１３間で挟持されることになる。
係止片１２の先端部１６は、コイルばね１４により付勢されて支持部３の開口部１１に没入されている。尚、係止片１２の先端部１６には複数の爪が鋸刃状に形成されている。
【００１２】
次に、前記モップ保持具におけるモップの着脱方法を説明する。モップ２を装着する場合には、図５に示すようにモップ２の開口被覆部６に支持部３を差し込む。この時、開口被覆部６は、支持部３と庇部８との間隙１７に挿入されることになる。そして、開口被覆部６の端部が係止片１２の側面に当接して、図６に示すように係止片１２を上方に移動させる。
【００１３】
そして、開口被覆部６が間隙１７の奥まで挿入された後、上方に移動していた係止片１２が、そのままの状態で、或いは、コイルばね１４の弾発力によって下がり、この係止位置において、係止片１２の先端部１６の爪が開口被覆部６に引っかかることによりモップ２の装着が完了する。
【００１４】
モップ２を取り外す場合は、把持部４を握っている手の指で解除ボタン９を把持部４の端部側の解除位置へと摺動させることにより、係止片１２の開口被覆部６に対する係止を解き、モップ２を抜き取る。そして、解除ボタン９から指を離すことにより、コイルばねによって自動的に係止片１２の先端部１６は、支持部の開口部１１に没入された状態に戻る。
本発明では、係止片１２の先端部１６が、コイルばね１４により付勢されて支持部３の開口部１１に没入されるようになっているので、モップ２の開口被覆部６が薄手のものであっても、係止片１２の先端部１６が、開口被覆部６を付勢して開口部１１内に固定できることになる。
【図面の簡単な説明】
【００１５】
【図１】本発明の一実施の形態であるモップ保持具にモップを装着した状態の側面図
【図２】同モップ保持具の平面図
【図３】同モップ保持具の底面図
【図４】同モップ保持具のＡ−Ａ線における側断面図
【図５】同モップ保持具の庇部近傍の拡大図（開口被覆部挿入前）
【図６】同モップ保持具の庇部近傍の拡大図（開口被覆部挿入後）
【符号の説明】
【００１６】
１  モップ保持具
２  モップ
２ａ  基布
２ｂ  パイル
３  支持部
４  把持部
５  係止部
６  開口被覆部
７  穴
８  庇部
９  解除ボタン
１０  穴
１１  開口部
１２  係止片
１３  ガイドロッド
１４  コイルばね
１５  突起部
１６  係止片の先端部
１７  間隙
【図１】
2005040470.tif 000003
【図２】
2005040470.tif 000004
【図３】
2005040470.tif 000005
【図４】
2005040470.tif 000006
【図５】
2005040470.tif 000007
【図６】
2005040470.tif 000008